【手続補正書】
【提出日】平成20年7月23日(2008.7.23)
【手続補正１】
【補正対象書類名】特許請求の範囲
【補正対象項目名】全文
【補正方法】変更
【補正の内容】
【特許請求の範囲】
【請求項１】
コンピュータ・ディスプレイ上に、ある第一軸に沿ったある品目についての複数のビッド価格と、ある第二軸に沿った前記品目についての複数のアスク価格とを、前記第一軸および第二軸に沿ったある第一の位置における前記複数のビッド価格および複数のアスク価格のうちのインサイドマーケットの指標を含めて表示し、
前記インサイドマーケットがある第一のビッド価格およびある第一のアスク価格からある第二のビッド価格およびある第二のアスク価格のうちの少なくとも一つに変化すると、前記インサイドマーケットの指標を前記第一軸および第二軸に沿ったある第二の位置に表示し、
前記インサイドマーケットの変化に応答して、コンピュータによって自動的に、前記コンピュータ・ディスプレイの前記第一軸に沿った複数のビッド価格および前記コンピュータ・ディスプレイ前記第二軸に沿った複数のアスク価格をシフトさせて、前記インサイドマーケットの指標を前記第一の位置のほうに動かす、
ことを含む方法。
【請求項２】
前記第二軸が前記第一軸に平行である、請求項１記載の方法。
【請求項３】
前記第一軸と前記第二軸が同じ軸である、請求項１記載の方法。
【請求項４】
前記第一軸および前記第二軸が曲線状の軸である、請求項１記載の方法。
【請求項５】
前記インサイドマーケットがある第一のビッド価格およびある第一のアスク価格からある第二のビッド価格およびある第二のアスク価格のうちの少なくとも一つに変化するときに、前記第一軸または前記第二軸に沿って少なくとも一つの追加的な価格を表示し、該少なくとも一つの追加的な価格が前記第二のビッド価格または第二のアスク価格を含む、請求項１記載の方法。
【請求項６】
前記複数のビッド価格およびアスク価格をシフトさせるときに、前記第一軸および前記第二軸沿いに、該シフトの直前に前記コンピュータ・ディスプレイ上に表示されていなかった一つまたは複数のビッド価格およびアスク価格を表示させることをさらに含む、請求項１記載の方法。
【請求項７】
前記複数のビッド価格およびアスク価格をシフトさせることが、前記複数のビッド価格およびアスク価格を前記コンピュータ・ディスプレイ上でピクセル単位でシフトさせることを含む、請求項１記載の方法。
【請求項８】
前記複数のビッド価格およびアスク価格をシフトさせることが、前記複数のビッド価格およびアスク価格をセル単位で遷移させることを含む、請求項１記載の方法。
【請求項９】
前記複数のビッド価格およびアスク価格をシフトさせることがある特定の速さで行われる、請求項１記載の方法。
【請求項１０】
前記速さが前記コンピュータ・ディスプレイのユーザーによって設定される、請求項９記載の方法。
【請求項１１】
前記速さが市場活動に基づくものである、請求項９記載の方法。
【請求項１２】
前記コンピュータ・ディスプレイのユーザーが当該品目を取引するコマンドを入力するときに前記速さが低下する、請求項９記載の方法。
【請求項１３】
前記複数のビッド価格およびアスク価格をシフトさせることが、入力装置に関連付けられたポインタが前記複数のビッド価格およびアスク価格のうちの一つを指しているときには、前記ポインタが前記複数のビッド価格およびアスク価格のどれも指していないときよりも遅い速さで行われる、請求項１記載の方法。
【請求項１４】
インサイドマーケットが変化するときに、表示されている前記複数の価格のうち少なくとも一つが前記コンピュータ・ディスプレイ上の前記第一軸および第二軸の間で位置を変える、請求項１記載の方法。
【請求項１５】
当該品目を取引するコマンドをユーザーから受け取ることをさらに含む、請求項１記載の方法。
【請求項１６】
前記複数のビッド価格およびアスク価格をシフトさせるのと実質的に同時に、前記コンピュータ・ディスプレイに付随する入力装置に関連付けられたポインタの位置を直し、該ポインタが、インサイドマーケットの変化の前に以前指されていた価格を指しているようにする、請求項１記載の方法。
【請求項１７】
前記コンピュータ・ディスプレイ上に、前記第一軸に平行なある第三軸に沿って複数の数量を表示することをさらに含んでおり、前記複数の数量のうちの少なくとも一つが、該複数の数量のうちの少なくとも一つの位置と揃っている第一軸に沿った位置に表示されている価格についての当該品目の少なくとも一つの注文に対応する、請求項１記載の方法。
【請求項１８】
前記コンピュータ・ディスプレイ上に、前記第二軸に平行なある第四軸に沿って第二の複数の数量を表示することをさらに含んでおり、前記第二の複数の数量のうちの少なくとも一つが、該第二の複数の数量のうちの少なくとも一つの位置と揃っている第二軸に沿った位置に表示されている価格についての当該品目の少なくとも一つの注文に対応する、請求項１７記載の方法。
【請求項１９】
品目についての市場情報を表示する方法であって：
ユーザーインターフェース上に、ある第一軸に沿った複数のビッド価格と、ある第二軸に沿った複数のアスク価格とを表示し、
ユーザーインターフェース上に、前記第一軸および第二軸に沿ったある第一の位置にインサイドマーケットの指標を表示し、
前記インサイドマーケットがある第一のビッド価格およびある第一のアスク価格からある第二のビッド価格およびある第二のアスク価格のうちの少なくとも一つに変化すると、前記インサイドマーケットの指標を前記第一軸および第二軸に沿ったある第二の位置に表示し、
前記インサイドマーケットの指標を前記第二の位置に表示するのに続いて、前記第一軸に沿った複数のビッド価格および前記第二軸に沿った複数のアスク価格をシフトさせ、
前記複数のビッド価格およびアスク価格をシフトさせるのと実質的に同時に、ユーザーインターフェースの入力装置に関連付けられたポインタの位置を直し、該ポインタが、インサイドマーケットの変化の前に以前指されていた価格を指しているようにする、
ことを含む方法。
【請求項２０】
品目についての市場情報を表示するシステムであって：
サーバーであって、当該品目と関連付けられた複数のビッド価格およびアスク価格を該サーバーに結合されている複数のワークステーションに配送するよう適応されたサーバーを有しており、前記複数のワークステーションのそれぞれはユーザーインターフェースを表示し、前記サーバーおよび前記ワークステーションは組み合わさって：
前記複数のワークステーションのうちの少なくとも一つのディスプレイ上に、ある第一軸に沿った複数のビッド価格と、ある第二軸に沿った複数のアスク価格とを、前記第一軸および第二軸に沿ったある第一の位置における前記複数のビッド価格および複数のアスク価格のうちのインサイドマーケットの指標を含めて表示し、
前記インサイドマーケットがある第一のビッド価格およびある第一のアスク価格からある第二のビッド価格およびある第二のアスク価格のうちの少なくとも一つに変化すると、前記インサイドマーケットの指標を前記第一軸および第二軸に沿ったある第二の位置に表示し、
前記インサイドマーケットの変化に応答して、コンピュータによって自動的に、前記コンピュータ・ディスプレイの前記第一軸に沿った複数のビッド価格および前記コンピュータ・ディスプレイの前記第二軸に沿った複数のアスク価格をシフトさせて、前記インサイドマーケットの指標を前記第一の位置のほうに動かす、
よう適応されている、システム。
【請求項２１】
品目についての市場情報を表示するシステムであって：
サーバーであって、当該品目と関連付けられた複数のビッド価格およびアスク価格を該サーバーに結合されている複数のワークステーションに配送するよう適応されたサーバーを有しており、前記複数のワークステーションのそれぞれはユーザーインターフェースを表示し、注力装置を有するとともに：
ユーザーインターフェース上に、ある第一軸に沿った複数のビッド価格とある第二軸に沿った複数のアスク価格を表示し、
ユーザーインターフェース上に、前記第一軸および第二軸に沿ったある第一の位置にインサイドマーケットの指標を表示し、
前記インサイドマーケットがある第一のビッド価格およびある第一のアスク価格からある第二のビッド価格およびある第二のアスク価格のうちの少なくとも一つに変化すると、前記インサイドマーケットの指標を前記第一軸および第二軸に沿ったある第二の位置に表示し、
前記インサイドマーケットの指標を前記第二の位置に表示するのに続いて、前記第一軸に沿った複数のビッド価格および前記第二軸に沿った複数のアスク価格をシフトさせ、
前記複数のビッド価格およびアスク価格をシフトさせるのと実質的に同時に、ユーザーインターフェースの入力装置に関連付けられたポインタの位置を直し、該ポインタが、インサイドマーケットの変化の前に以前指されていた価格を指しているようにする、
よう適応されているシステム。
【請求項２２】
コンピュータ・ディスプレイ上に、ある第一軸に沿った複数のビッド価格と、ある第二軸に沿った複数のアスク価格とを、前記第一軸および第二軸に沿ったある第一の位置におけるインサイドマーケットの指標を含めて表示し、
前記インサイドマーケットがある第一のビッド価格およびある第一のアスク価格からある第二のビッド価格およびある第二のアスク価格のうちの少なくとも一つに変化すると、前記インサイドマーケットの指標を前記第一軸および第二軸に沿ったある第二の位置に表示し、
前記インサイドマーケットの指標を前記第二の位置に表示するのに続いて、コンピュータによって自動的に、前記インサイドマーケットの変化を認識した結果として、前記第一軸に沿った複数のビッド価格および前記第二軸に沿った複数のアスク価格をシフトさせて、前記複数のビッド価格およびアスク価格をシフトさせるのと実質的に同時に、コンピュータによって自動的に、前記コンピュータ・ディスプレイに付随する入力装置に関連付けられたポインタの位置を直し、該ポインタが、インサイドマーケットの変化の前に以前指されていた価格を指しているようにする、
ことを含む方法。
【請求項２３】
前記複数のビッド価格およびアスク価格をシフトさせるときに、前記第一軸および前記第二軸沿いに、該シフトの直前に前記コンピュータ・ディスプレイ上に表示されていなかった一つまたは複数のビッド価格およびアスク価格を表示させることをさらに含む、請求項２２記載の方法。
【請求項２４】
前記複数のビッド価格およびアスク価格をシフトさせることが、前記複数のビッド価格およびアスク価格を前記コンピュータ・ディスプレイ上でピクセル単位でシフトさせることを含む、請求項２２記載の方法。
【請求項２５】
前記複数のビッド価格およびアスク価格をシフトさせることが、前記複数のビッド価格およびアスク価格をセル単位で遷移させることを含む、請求項２２記載の方法。
【請求項２６】
前記複数のビッド価格およびアスク価格をシフトさせることがある特定の速さで行われる、請求項２２記載の方法。
【請求項２７】
前記速さが前記コンピュータ・ディスプレイのユーザーによって設定される、請求項２２記載の方法。
【請求項２８】
前記複数のビッド価格およびアスク価格をシフトさせることが、入力装置に関連付けられたポインタが前記複数のビッド価格およびアスク価格のうちの一つを指しているときには、前記ポインタが前記複数のビッド価格およびアスク価格のどれも指していないときよりも遅い速さで行われる、請求項２２記載の方法。
【請求項２９】
前記複数のビッド価格およびアスク価格をシフトさせるのと実質的に同時に、前記コンピュータ・ディスプレイに付随する入力装置に関連付けられたポインタの位置を直し、該ポインタが、インサイドマーケットの変化の前に以前指されていた価格を指しているようにする、請求項２２記載の方法。
【手続補正２】
【補正対象書類名】明細書
【補正対象項目名】００４９
【補正方法】変更
【補正の内容】
【００４９】
本発明に基づく中心に位置し直させる機能のさらにもう一つの代替的な実施形態では、中心に位置し直させることは比に基づいて実装されてもよい。この実施形態では、インサイドマーケットの位置は画面の中心に位置し直されるのではなく、画面の中心からインサイドマーケットの変化に対する何らかの割合によってオフセットされる。たとえば、表示の中心線およびその結果としてインサイドマーケットの表示は、好ましくは、インサイドマーケットが該インサイドマーケットのもとの位置――すなわちその参加者の取引セッションが始まった時点または他の好適な時点での位置――から１きざみ（tick）動くごとにセル高さの1/4または他の好適な量だけ上にシフトする。